(57)【要約】【課題】利用者は複数の楽曲の中から興味のあるものを選んで携帯端末によりフルサイズの音楽を無料で聴取することができ、広告出稿者は高い広告効果を期待することができる音コンテンツの配信・再生方法を提供する。【解決手段】広告表示部、複数の紹介記事部および複数のコード印刷部を備えた音楽聴取用印刷物を用いる。利用者が広告を目にしつつ印刷物の複数の紹介記事部を見て聴きたい楽曲を選択し、その楽曲に対応するコード印刷部に印刷されたコードを携帯端末１８で読み取るステップと、当該ＵＲＬを携帯端末側に保存させることなくそのＵＲＬによりインターネット２２を介して音楽配信事業者２４の音楽配信管理サーバ２６にアクセスするステップと、サーバ２４から対応する楽曲のフルサイズデータを配信するステップと、配信されたデータを携帯端末１８に転送して楽曲をストリーミング再生し携帯端末側に転送データを保存させないステップとを備える。【選択図】図１
2014102617.tif 000002
【特許請求の範囲】
【請求項１】
広告を表示する広告表示部と、
音楽、音声、環境音等の音コンテンツの概要を記載した複数の紹介記事部と、
携帯端末により読取りが可能であって、その読取り操作により、携帯端末側にＵＲＬを保存させることなくインターネットを介して音コンテンツ配信事業者のサーバにアクセスし携帯端末によって音コンテンツをフルサイズでストリーミング再生させる一次元もしくは多次元コードが印刷された複数のコード印刷部と、
を有することを特徴とする音コンテンツ聴取用印刷物。
【請求項２】
前記広告表示部、前記紹介記事部および前記コード印刷部が同じページ内または同じ見開きページ内に配置された請求項１に記載の音コンテンツ聴取用印刷物。
【請求項３】
請求項１または請求項２に記載の音コンテンツ聴取用印刷物を用いて音コンテンツを配信・再生する方法であって、
利用者が音コンテンツ聴取用印刷物の複数の紹介記事部を見て、聴取を希望する音コンテンツを選択し、複数のコード印刷部のうち前記選択された音コンテンツに対応するコード印刷部に印刷された一次元もしくは多次元コードを、携帯端末にインストールされたコードリーダーアプリケーションを用いて読み取るステップと、
一次元もしくは多次元コードから読み取られたＵＲＬを携帯端末側に保存させることなく、そのＵＲＬによりインターネットを介して音コンテンツ配信事業者のサーバにアクセスするステップと、
多数の音コンテンツのフルサイズデータが格納されたデータベースを備えたサーバから、前記ＵＲＬに対応する音コンテンツのフルサイズデータを配信するステップと、
前記サーバから配信されたデータを携帯端末に転送して再生装置により音コンテンツをフルサイズでストリーミング再生し、携帯端末側には転送データを保存させないステップと、
を含み、
利用者が音コンテンツを聴取しようとするときはその都度、前記一連の各ステップを繰り返すようにし、利用者は、音コンテンツを聴取しようとする度に、音コンテンツ聴取用印刷物の広告表示部に表示された広告を目にすることになり、それを対価の代わりとしてフルサイズの音コンテンツを無料で聴取することができることを特徴とする、音コンテンツ聴取用印刷物を用いた音コンテンツの配信・再生方法。
【発明の詳細な説明】
【技術分野】
【０００１】
この発明は、雑誌や各種情報誌などに印刷された一次元もしくは多次元コードを利用しインターネットを介して音楽、音声、環境音などの音コンテンツを配信し携帯端末で音楽等を再生する方法、ならびに、その方法に用いられる音コンテンツ聴取用印刷物に関する。
【背景技術】
【０００２】
近年、携帯端末を使用しインターネットを介して音楽配信事業者から楽曲データを携帯端末にダウンロードし携帯端末で楽曲を再生して音楽を聴くことができるようにする各種の音楽配信サービスが普及している。例えば、携帯端末のユーザが携帯端末により、インターネットを介して音楽ダウンロードサイトに接続し、所望の音楽の楽曲データをダウンロードしてメモリーカードに記憶し、携帯端末により楽曲を再生して聴けるようにし、一方、音楽配信事業者は、ユーザによって選択された曲の音質や広告の有無により配信料金を決定して課金を行うようにする音楽配信システムが提案されている（例えば、特許文献１参照。）。
【０００３】
また、サンプル曲が記録されたＳＤカードが添付された雑誌を利用者が購入し、利用者は、ＳＤカードに記録されたサンプル曲を試聴した上で、気に入ったサンプル曲が見付かると、そのサンプル曲に対する曲のフルデータをダウンロードするためのＵＲＬをＳＤカードから携帯電話機に取得し、インターネットを介して音楽配信業者のサーバにアクセスし、所要の認証処理後に、データベースから該当するＵＲＬの示す曲のフルデータを携帯電話機へ送信し、その曲のフルデータを携帯電話機にダウンロードしてＳＤカードに記録し、携帯電話機によりフル曲を再生可能にする、といった曲配信システムが提案されている（例えば、特許文献２参照。）。また、印刷物に印刷されたＱＲコード（（株）デンソーウェーブの登録商標）やパソコンのディスプレイ上に表示されたＱＲコード（登録商標）を多機能携帯電話（スマートフォン）等で読み取り、ＵＲＬを携帯電話内に取得して保存（コピー）し、その保存されたＵＲＬを使って音楽サイトにアクセスし、サイト内に表示されたアーティストの楽曲データの一部（４５秒以内の歌唱・演奏分）を無料でストリーム配信して、携帯電話でその音楽を試聴できるようにする、といったことが一般的に行われている。
【先行技術文献】
【特許文献】
【０００４】
【特許文献１】特開２００２−２２９５７３号公報（第２−３頁、図１）
【特許文献２】特開２００２−２９７１５５号公報（第３−４頁、図１、図５）
【発明の概要】
【発明が解決しようとする課題】
【０００５】
特許文献１に記載された音楽配信システムを利用すれば、ユーザは、必要に応じて手軽に音楽ダウンロードセンターから所望の音楽の楽曲データをダウンロードし、携帯端末で音楽を聴いて楽しむことができる。また、ユーザは、楽曲データをダウンロードする際に広告を見ると、楽曲データの価格が割引になるといった利益を受けられる。しかしながら、この音楽配信システムは、飽くまでもユーザが何度か耳にして知っている音楽の楽曲データを取得するシステムであり、多くの音楽を試聴してそれらの中から気に入った曲を選んでそのデータをダウンロードする、といったケースには利用することができないものである。また、楽曲データをダウンロードする際に広告を見ると価格が割引されるといっても、音楽を聴くためにやはり料金が必要である。さらに、ユーザが広告を見るのは、楽曲データをダウンロードする時の１回だけであり、それで果たして如何ほどの広告効果があるのかは判定し難い。
【０００６】
一方、特許文献２に記載された曲配信システムを利用すると、利用者は、ＳＤカードに記録されたサンプル曲を試聴した上で、気に入ったサンプル曲を選んでその曲のフルデータを携帯電話機にダウンロードすることができる。しかしながら、この曲配信システムにおいて、視聴することができるのは飽くまでもサンプル曲であって、曲全体を聴ける訳ではない。また、このシステムでは、利用者は、サンプル曲が記録されたＳＤカードが添付された雑誌を購入するときに雑誌の代金を支払い、さらに、気に入ったサンプル曲のフルデータをダウンロードしたときにもダウンロード料金を支払わなければならない。
【０００７】
また、印刷物に印刷されたＱＲコード（登録商標）を携帯電話で読み取り、携帯電話内に取得して保存されたＵＲＬを使って音楽サイトにアクセスし、サイト内に表示された楽曲のデータの配信を受けて携帯電話で音楽を試聴するシステムでは、無料で音楽を試聴することができるが、著作権法の関係で楽曲の一部しか試聴することができない。このように、当該音楽サイトは、ＣＤ等の販売促進などの目的で音楽事業者が開設しているものであり、このシステムは、ユーザが積極的に音楽を楽しむためのものではない。
【０００８】
この発明は、以上のような事情に鑑みてなされたものであり、利用者に対しては、複数の音楽等の音コンテンツの中から興味のあるものを選んでそのフルサイズの音楽等を無料で聴取することを可能にし、広告出稿者にとっては高い広告効果を期待することができる音コンテンツ聴取用印刷物を提供すること、ならびに、その印刷物を用いて音楽等の音コンテンツを配信し携帯端末で再生することができる音コンテンツの配信・再生方法を提供することを目的とする。
【課題を解決するための手段】
【０００９】
請求項１に係る発明は、雑誌や各種情報誌などの印刷物であって、広告を表示する広告表示部と、音楽、音声、環境音等の音コンテンツの概要を記載した複数の紹介記事部と、携帯端末により読取りが可能である一次元もしくは多次元コードが印刷された複数のコード印刷部とを有し、携帯端末によるコード印刷部の読取り操作により、携帯端末側にＵＲＬを保存させることなくインターネットを介して音コンテンツ配信事業者のサーバにアクセスし携帯端末によって音コンテンツをフルサイズでストリーミング再生させることが可能である音コンテンツ聴取用印刷物に係るものである。
【００１０】
請求項２に係る発明は、請求項１に記載の音コンテンツ聴取用印刷物において、広告表示部、紹介記事部およびコード印刷部を同じページ内または同じ見開きページ内に配置したことを特徴とする。
【００１１】
請求項３に係る発明は、請求項１または請求項２に記載の音コンテンツ聴取用印刷物を用いて音コンテンツを配信・再生する方法であって、次の４つのステップを含むことを特徴とする。すなわち、第１のステップとして、利用者が音コンテンツ聴取用印刷物の複数の紹介記事部を見て、聴取を希望する音コンテンツを選択し、複数のコード印刷部のうち前記選択された音コンテンツに対応するコード印刷部に印刷された一次元もしくは多次元コードを、携帯端末にインストールされたコードリーダーアプリケーションを用いて読み取り、第２のステップとして、一次元もしくは多次元コードから読み取られたＵＲＬを携帯端末側に保存させることなく、そのＵＲＬによりインターネットを介して音コンテンツ配信事業者のサーバにアクセスし、第３のステップとして、多数の音コンテンツのフルサイズデータが格納されたデータベースを備えたサーバから、前記ＵＲＬに対応する音コンテンツのフルサイズデータを配信し、第４のステップとして、前記サーバから配信されたデータを携帯端末に転送して、携帯端末側には転送データを保存することなく再生装置により音コンテンツをフルサイズでストリーミング再生する。そして、利用者が音コンテンツを聴取しようとするときはその都度、上記した第１のステップから第４のステップまでを繰り返すようにし、利用者は、音コンテンツを聴取しようとする度に、音コンテンツ聴取用印刷物の広告表示部に表示された広告を目にすることになり、それを対価の代わりとしてフルサイズの音コンテンツを無料で聴取できるようにする。
【発明の効果】
【００１２】
請求項１に係る発明の音コンテンツ聴取用印刷物を用いると、利用者は、複数の紹介記事部を見てその中から聴取したい音コンテンツを選択し、その選択された音コンテンツに対応するコード印刷部に印刷された一次元もしくは多次元コードを携帯端末によって読み取り、その読み取られたＵＲＬによりインターネットを介して音コンテンツ配信事業者のサーバにアクセスすることができる。このサーバへのアクセスにより、サーバから当該ＵＲＬに対応する音コンテンツのデータが配信され、利用者は、サーバから配信されたデータを携帯端末に転送して再生装置により音コンテンツをフルサイズでストリーミング再生し、例えば音楽を１曲丸ごと楽しむことができる。そして、印刷物には広告表示部に広告が表示されるので、広告出稿者からの広告料収入により、印刷物出版および音コンテンツ配信の事業運営を継続的に行うことができる。一方、利用者は、広告表示部に表示された広告を見ることにより、それを対価の代わりとしてフルサイズの音コンテンツを無料で聴取することができる。また、携帯端末によってコード印刷部の一次元もしくは多次元コードを読み取ったとき、そのコード情報によって携帯端末側にはＵＲＬを保存させずに、かつ、サーバから配信された音コンテンツのデータは、携帯端末側に保存されることなくストリーミング方式で音楽等として再生されるので、利用者が音コンテンツを聴取しようとするときはその度に、広告表示部に表示された広告を目にすることになる。したがって、広告出稿者にとっては、広告の繰り返し効果を期待することができる。また、一般的な雑誌や情報誌などに掲載される広告では、雑誌等の購入者数を把握することはできても、そのうちどれぐらいの人が何回ぐらい広告に目を留めているのかを把握することは無理であるが、この印刷物を用いると、サーバへのアクセスがあるごとにアクセスログを取得することができ、少なくともサーバにアクセスした利用者は広告を目にしていると考えられるので、広告を見た延べ人数がどれぐらいであるかを把握することができる。さらに、利用者が音コンテンツを聴取するためには、この音コンテンツ聴取用印刷物を手元に置いておく必要があり、フリーペーパのように読み捨てにされる印刷物とは異なり、この印刷物は利用者によって長く保有されることが予想されるので、この意味でも広告出稿者にとって広告の費用対効果が高い。
【００１３】
請求項２に係る発明の印刷物を用いると、広告効果がより確実なものとなる。
【００１４】
請求項３に係る発明の音コンテンツ配信・再生方法を利用すると、利用者は、印刷物を見て複数の音コンテンツの中から興味のあるものを選択し、その音コンテンツをフルサイズでかつ無料で聴取することができる。また、印刷物出版および音コンテンツ配信の事業者は、印刷物への広告出稿者からの広告料収入により、その事業運営を継続的に行うことができる。さらに、利用者が音コンテンツを聴取しようとするときはその度に印刷物の広告を目にすることになり、また、サーバへのアクセスがあるごとにアクセスログが取得され、少なくともサーバにアクセスした利用者は広告を目にしていると考えられるので、広告出稿者にとっては、広告の繰り返し効果を期待することができ、また、広告を見た延べ人数がどれぐらいであるかを把握することができる。
【００１５】
したがって、請求項１、２に係る印刷物を用いると、また、請求項３に係る音コンテンツの配信・再生方法を利用すると、利用者は、複数の音コンテンツの中から興味のある音コンテンツを選んでそのフルサイズの音楽等を無料で聴取することができ、広告出稿者にとっては、一般的な雑誌等に広告を掲載する場合に比べて高い広告効果を期待することができるとともに、その広告効果を数値的に把握することができる。
【図面の簡単な説明】
【００１６】
【図１】この発明の実施形態の１例を示し、音コンテンツ聴取用印刷物を用いて音コンテンツを配信し再生する方法を実行するためのシステムの概略構成を示すブロック図である。
【図２】図１に示した音コンテンツ配信・再生システムで用いられる音コンテンツ聴取用印刷物の１例を示す図である。
【図３】図１に示した音コンテンツ配信・再生システムにおいて、印刷物に印刷された二次元コードを携帯端末により読み取っている状態を示す図である。
【発明を実施するための形態】
【００１７】
以下、この発明の好適な実施形態について図面を参照しながら説明する。
最初に、この発明に係る音コンテンツの配信・再生方法において用いられる印刷物について説明する。なお、ここで言うところの音コンテンツとは、ジャズ、ポップス、クラッシク、歌謡曲、邦楽等の様々な音楽、落語、講談等の音声、川のせせらぎ、小鳥のさえずり等の環境音など、聴覚で鑑賞することができる情報であるが、それに画像や映像を伴うものであってもよい。以下では、それらのうち音楽コンテンツを例にして説明する。
【００１８】
図２に示すように、音楽関係の雑誌、各種情報誌、小冊子、ミニコミ誌、パンフレットなど、複数ページからなる音楽聴取用印刷物１０（図示例は小冊子）には、バーコードのような一次元コード、ＱＲコード（登録商標）のような二次元コード、ＰＭコード（コンテンツアイデアオブアジア（株）の登録商標）のような階層化二次元コード（三次元コードともいう）などの一次元もしくは多次元コードが印刷されたそれぞれ異なる複数のコード印刷部１２が設けられている。コード印刷部１２に印刷されたコードにはＵＲＬ等の必要な情報が含まれ、そのコード情報は携帯端末により読取りが可能である。また、印刷物１０には、各コード印刷部１２に隣接して紹介記事部１４がそれぞれ設けられている。各紹介記事部１４には、隣接するコード印刷部１２に含まれるＵＲＬの情報に対応する音楽の概要を記載した記事や写真、画像などがそれぞれ掲載されている。さらに、印刷部１０には、広告を表示する１つもしくは複数の広告表示部１６が設けられている。
【００１９】
広告表示部１６は、コード印刷部１２および紹介記事部１４と同じページ内または同じ見開きページ内に配置されることが好ましい。また、図示例では、印刷物１０の１ページ内に複数のコード印刷部１２および紹介記事部１４を載せているが、１ページにコード印刷部１２および紹介記事部１４を１つずつ掲載し、それぞれのページまたは見開きページに広告表示部１６を設けるようにしてもよい。
【００２０】
上記した印刷物１０を用いて音楽を配信・再生するシステムについて、図１により説明する。
この音楽配信・再生システムでは、携帯電話機、多機能携帯電話機（スマートフォン）、タブレット端末、モバイルオペレーティングシステムが搭載された携帯音楽プレーヤなどの携帯端末１８が使用される。携帯端末１８には、印刷物１０のコード印刷部１２に印刷されたバーコード、ＱＲコード（登録商標）、ＰＭコード（登録商標）等のコード情報を読み取ることができるように、所要のコードリーダーアプリケーションをインストールしておく。
【００２１】
携帯端末１８は、携帯端末通信網２０によりインターネット２２に接続することができ、音楽配信事業者２４が運営管理する音楽配信管理サーバ２６にインターネット２２を介してアクセスすることが可能である。また、携帯端末１８は、音楽配信事業者２４の音楽配信管理サーバ２６から配信された楽曲データを転送し内蔵のスピーカや外部接続のヘッドフォンなどで音楽を再生して聴くことができる。
【００２２】
音楽配信管理サーバ２６は、多数の楽曲のフルサイズデータが格納されたデータベース２８を備えている。また、音楽配信管理サーバ２６にはパソコン３０が接続されている。そして、音楽配信管理サーバ２６へのアクセスがあるごとにアクセスログが取得され、その解析データがサーバ２６からパソコン３０へ送られ、パソコン３０によりサーバ２６からの配信回数としてカウントされメモリに記憶されるようになっている。
【００２３】
次に、図２に示した音楽聴取用印刷物１０を用い図１に示した音楽配信・再生システムにより、音楽を配信し携帯端末１８で音楽を再生する方法について説明する。
利用者は、無料で配布されあるいは書店やコンビニエンスストアなどで販売されている雑誌、情報誌、小冊子等の音楽聴取用印刷物１０を入手し、印刷物１０の複数の紹介記事部１４に掲載された記事や写真などを見る。このとき、利用者は、紹介記事部１４と同じページ内または同じ見開きページ内に設けられた広告表示部１６に掲載されている広告が自然と目に入ることになる。利用者は、幾つかの紹介記事部１４の記事などを見て、それらのうちから興味のある聴きたい音楽を見付けると、当該紹介記事部１４に隣接して設けられているコード印刷部１２に印刷されたバーコード、ＱＲコード（登録商標）、ＰＭコード（登録商標）などのコードを、図３に示すように携帯端末１８によって読み取る。
【００２４】
携帯端末１８によってコード情報が読み取られると、そのコード情報によって携帯端末側にＵＲＬを保存させることなく、また参照先ＵＲＬを携帯端末１８の表示部に表示させることもなく秘匿して、そのＵＲＬにより携帯端末通信網２０およびインターネット２２を介して音楽配信事業者２４の音楽配信管理サーバ２６にアクセスする。音楽配信管理サーバ２６へのアクセスがあると、音楽配信管理サーバ２６は、多数の楽曲のフルサイズデータが格納されたデータベース２８からＵＲＬに対応する楽曲ファイルを選び出し、その楽曲ファイルのフルサイズデータを配信する。このとき、音楽配信管理サーバ２６にアクセスがあるごとにアクセスログが取得されるので、音楽配信管理サーバ２６から楽曲ファイルのデータが配信される回数がパソコン３０によりカウントされてメモリに記憶される。
【００２５】
音楽配信管理サーバ２６から配信された楽曲ファイルのデータは、携帯端末通信網２０およびインターネット２２を介して利用者の携帯端末１８に転送される。楽曲ファイルのデータが携帯端末１８に転送されると、自動的に、携帯端末１８に内蔵されたスピーカや携帯端末１８に接続されたヘッドフォンなどで楽曲がフルサイズでストリーミング再生され、利用者は音楽を１曲丸ごとフルバージョンで楽しむことができる。そして、転送された楽曲ファイルのデータは、コピーガードにより携帯端末側には保存されない。
【００２６】
この音楽の配信・再生システムにおいては、音楽聴取用印刷物１０のコード印刷部１２に印刷されたコードを携帯端末１８により読み取っても、携帯端末側にＵＲＬが保存されず、また、音楽配信管理サーバ２６から配信された楽曲データは、携帯端末側に保存されることなくストリーミング方式で音楽として再生される。したがって、このシステムを利用する場合、利用者は、音楽を聴取しようとするとき、例え一度聴いた同じ音楽を再度聴こうとするときでも、その都度、印刷物１０の該当ページを開き、コード印刷部１２に印刷されたコードを携帯端末１８によって読み取る必要がある。このため、利用者は、音楽を聴取しようとする度に、音楽聴取用印刷物１０の広告表示部１６に掲載された広告を目にすることになる。したがって、広告出稿者にとっては広告の繰り返し効果を期待することができる。そして、この音楽配信・再生システムは、印刷物１０への広告出稿者からの広告料収入により、その事業運営が成り立つものであり、利用者は、無料で音楽を１曲丸ごと聴くことが可能になる。また、音楽配信管理サーバ２６へのアクセスがあるごとにアクセスログが取得され、少なくともサーバ２６にアクセスした利用者は広告を目にしていると考えられるので、パソコン３０のメモリに記憶されたデータから、広告を見た延べ人数がどれぐらいであるかを把握することが可能になる。
【産業上の利用可能性】
【００２７】
この発明に係る音コンテンツ聴取用印刷物を用いた音コンテンツの配信・再生方法は、利用者および広告出稿者の双方に利益をもたらすものであるので、この発明は、出版および音楽等の配信サービスの事業分野において大いに利用される可能性があるものである。
【符号の説明】
【００２８】
１０  音楽聴取用印刷物
１２  コード印刷部
１４  紹介記事部
１６  広告表示部
１８  携帯端末
２０  携帯端末通信網
２２  インターネット
２４  音楽配信事業者
２６  音楽配信管理サーバ
２８  データベース
３０  パソコン
【図１】
2014102617.tif 000003
【図２】
2014102617.tif 000004
【図３】
2014102617.tif 000005